(57)【要約】【課題】  ユーザは、扉を大きく開かずにジャム処理することができると共に、ユニットを交換するときだけ扉を大きく開けば済む画像形成装置を提供する。【解決手段】  中間転写ユニット４０、装置本体１０Ａと、装置本体１０Ａに回動自在に取り付けられ、装置本体１０Ａを閉じた閉状態でシートＰを搬送する搬送経路１１を形成する扉ユニット２０と、第１回動角度θ１に扉ユニット２０を開いた状態で保持し、搬送経路１１を形成していた部位にユーザがアクセス可能となる第１空間Ａ１を形成し、第１回動角度θ１よりも大きい第２回動角度θ２に扉ユニット２０を開いた状態で保持し、中間転写ユニット４０、給送ユニット５０をユーザが取り出し可能となる第２空間Ａ２を形成する扉規制部材７１と、を備える画像形成装置１０を構成した。【選択図】  図４
2011252981.tif 000002
【特許請求の範囲】
【請求項１】
ユニットを収納可能な装置本体と、
前記装置本体に回動自在に取り付けられ、前記装置本体を閉じた閉状態でシートを搬送する搬送経路を前記装置本体と共に形成する扉と、
前記閉状態の角度を基準とした第１回動角度に前記扉を開いた状態で保持して、前記搬送経路を形成していた部位にユーザがアクセス可能となる第１空間を形成し、前記閉状態の角度を基準として前記第１回動角度よりも大きい第２回動角度に前記扉を開いた状態で保持して、前記ユニットをユーザが取り出し可能となる第２空間を形成する回動角度保持手段と、
を備えることを特徴とする画像形成装置。
【請求項２】
前記扉は、前記第１回動角度まで開いた状態では、前記ユニットを引き出す引出軌跡上の位置に配置され、前記第２回動角度まで開いた状態では、前記ユニットを引き出す引出軌跡上から外れた位置に配置されていることを特徴とする請求項１に記載の画像形成装置。
【請求項３】
前記ユニットの前記搬送経路の側には、前記ユニットを前記装置本体に取り付ける締結部が設けられ、前記扉が前記第１回動角度に開いた状態では、水平方向で前記締結部及び前記扉の間が所定寸法未満に設定されて前記締結部による締結が解除不可となり、前記扉が前記第２回動角度に開いた状態では、水平方向で前記締結部及び前記扉の間が所定寸法に設定されて前記締結部による締結が解除可能となることを特徴とする請求項２に記載の画像形成装置。
【請求項４】
前記装置本体に対して前記ユニットを連結する連結手段を備え、
前記回動角度保持手段が前記扉を前記第１回動角度に設定すると、前記連結手段が前記ユニットを前記装置本体に連結し、前記回動角度保持手段が前記扉を前記第２回動角度に設定すると、前記連結手段の連結が解除されて前記ユニットを前記装置本体から着脱自在とすることを特徴とする請求項１乃至請求項３のいずれか１項に記載の画像形成装置。
【請求項５】
前記連結手段は、前記ユニットに駆動力を伝達するカップリングであることを特徴とする請求項４に記載の画像形成装置。
【請求項６】
前記装置本体は、フレームを有し、
前記回動角度保持手段は、前記扉が前記第１回動角度の状態で前記フレームに当接する第１当接部、及び、前記扉が前記第２回動角度の状態で前記フレームに当接する第２当接部を有することを特徴とする請求項１乃至請求項５のいずれか１項に記載の画像形成装置。
【請求項７】
前記保持手段は、前記第１当接部及び前記フレームの当接状態を解除する解除手段を有し、
ユーザが前記解除手段を動作させると、前記扉が前記第１回動角度及び前記第２回動角度の間で回動可能となることを特徴とする請求項６に記載の画像形成装置。
【請求項８】
前記第１当接部は、前記扉とは反対側にテーパが形成されていることを特徴とする請求項６又は請求項７に記載の画像形成装置。
【発明の詳細な説明】
【技術分野】
【０００１】
本発明は、画像形成装置本体に対して開閉する扉を備える画像形成装置に関する。
【背景技術】
【０００２】
画像形成装置は、シート収納庫からシート排出トレイに至るまでのシート搬送経路を備えている。ユーザが画像形成装置を使用すると、画像形成装置本体の内部では、シートが何らかの原因で詰まるジャムが生じ得る。そのために、画像形成装置には、ユーザがジャム処理し易い利便性が求められる。また、画像形成装置の内部には、種々のユニットが設けられている。寿命等によってユニットの交換が必要な場合には、画像形成装置には、ユーザがユニットを交換し易い利便性が求められる。
【０００３】
ジャム処理の利便性に関しては、特許文献１に記載の発明が開示されている。特許文献１に記載の発明は、画像形成装置本体に対して回動自在に取り付けられた扉の一部にシート搬送路の一部が設けられ、扉が支点を中心に回動すると搬送路が広く開放される。そして、扉の開放を支持するアームのうち、画像形成装置本体の手前側のアームを低い位置に設置することで、ユーザが画像形成装置本体の手前側から手を入れ易く構成され、ジャム処理の利便性が図られている。
【０００４】
また、ユニット交換の利便性に関しては、特許文献２に記載の発明が開示されている。特許文献２に記載の発明は、外装扉に中間転写ユニットが固定されて一体に構成される。そして、外装扉が開放されると中間転写ユニットが画像形成装置本体の外部に露出し、ユーザが画像形成装置本体の内部にアクセスする必要なく中間転写ユニットを交換でき、ユニット交換の利便性が図られている。
【先行技術文献】
【特許文献】
【０００５】
【特許文献１】特開２００６−１９５２７１号公報
【特許文献２】特開２００７−４７５７１号公報
【発明の概要】
【発明が解決しようとする課題】
【０００６】
しかしながら、特許文献１に記載の発明では、ユーザが画像形成装置本体の内部のユニットを交換する場合には、扉を広く開放しなければならない。このことは、近年求められる省スペース化に反する。
【０００７】
また、特許文献２に記載の発明では、ユーザが画像形成装置本体の内部でシートのジャム処理をする場合には、ジャム処理時に触れる必要が無いユニットに不用意に触れる虞がある。このことで、ユニットの固定位置がずれ、ユニットの配置異常から画像に影響が出ることもある。
【０００８】
本発明は、上記実情に鑑み、ユーザは、扉を大きく開かずにジャム処理することができると共に、ユニットを交換するときだけ扉を大きく開けば済む画像形成装置を提供することを課題とする。
【課題を解決するための手段】
【０００９】
上記課題を解決するために、本発明の画像形成装置は、ユニットを収納可能な装置本体と、前記装置本体に回動自在に取り付けられ、前記装置本体を閉じた閉状態でシートを搬送する搬送経路を前記装置本体と共に形成する扉と、前記閉状態の角度を基準とした第１回動角度に前記扉を開いた状態で保持して、前記搬送経路を形成していた部位にユーザがアクセス可能となる第１空間を形成し、前記閉状態の角度を基準として前記第１回動角度よりも大きい第２回動角度に前記扉を開いた状態で保持して、前記ユニットをユーザが取り出し可能となる第２空間を形成する回動角度保持手段と、を備えることを特徴とする。
【発明の効果】
【００１０】
本発明によれば、ユーザは、ジャム処理の場合には、扉を第１回動角度に設定すると、搬送経路を形成していた部位にアクセスすることができる。また、ユーザは、ユニット交換の場合には、扉を第２回動角度に設定すると、ユニットを交換することができる。その結果、ユーザは、扉を大きく開かずにジャム処理することができると共に、ユニットを交換するときだけ扉を大きく開けば済む。
【図面の簡単な説明】
【００１１】
【図１】本発明の実施例に係る画像形成装置の構成を示す断面図である。
【図２】扉が閉状態から開状態に移行する経過状態を示す画像形成装置の断面図である。
【図３】扉が閉状態から開状態に完全に移行した状態を示す画像形成装置の断面図である。
【図４】扉の回動角度が第１回動角度まで回動した工程を示す拡大断面図等である。
【図５】扉規制部材の構成を示す拡大側面図等である。
【図６】扉ユニットが第１回動角度に設定される場合に、カップリングが突出する状態を示す斜視図等である。
【発明を実施するための形態】
【００１２】
以下、図面を参照して、この発明を実施するための形態を実施例に基づいて例示的に詳しく説明する。ただし、この実施例に記載されている構成部品の寸法、材質、形状、その相対位置等は、発明が適用される装置の構成や各種条件により適宜変更されるから、特に特定的な記載が無い限りは、発明の範囲をそれらのみに限定する趣旨のものではない。
【実施例】
【００１３】
図１は、本発明の実施例に係る画像形成装置１０の構成を示す断面図である。画像形成装置１０は、電子写真画像形成プロセスを利用したフルカラー画像形成装置（複写機機能、プリンタ機能、ＦＡＸ機能を併せ持つ複合機）である。図１に示されるように、画像形成装置１０は画像形成装置本体（以下、単に『装置本体』という）１０Ａを有し、装置本体１０Ａに対して外装扉ユニット（以下、「扉ユニット２０」という）が扉回動軸２１を中心に開閉自在に取り付けられている。装置本体１０Ａの内部には、画像を形成する画像形成部５２（５２Ａ、５２Ｂ、５２Ｃ、５２Ｄ）が設けられる。画像形成部５２は、『像担持体』である感光体ドラム５（５Ａ、５Ｂ、５Ｃ、５Ｄ）、『転写装置』である１次転写ローラ７（７Ａ、７Ｂ、７Ｃ、７Ｄ）等を含む。少なくとも感光体ドラム５については、プロセスカートリッジに含まれ、プロセスカートリッジとして装置本体１０Ａに組み込まれる構成としても良い。
【００１４】
画像形成装置１０は、定着装置３０、中間転写ユニット４０、給送ユニット５０、給送カセット６０を収納可能な装置本体１０Ａを備える。このうちで、中間転写ユニット４０、給送ユニット５０が装置本体１０Ａに対して着脱可能に構成されている。また、画像形成装置１０は、装置本体１０Ａに回動自在に取り付けられる『扉』である扉ユニット２０を備える。扉ユニット２０が装置本体１０Ａを閉じた閉状態では、扉ユニット２０は、シートＰを搬送する搬送経路１１を前記装置本体１０Ａと共に形成する。
【００１５】
中間転写ユニット４０は、中間転写ベルト４０Ａを有し、中間転写ベルト４０Ａは、ローラ２５、２６、２次転写対向ローラ２７、複数の１次転写ローラ７（７Ａ〜７Ｄ）に懸架されている。装置本体１０Ａの搬送経路１１の側には、２次転写対向ローラ２７、搬送ローラ２３Ｂ、２４Ｂが配置されている。扉ユニット２０の扉本体２０Ａの搬送経路１１の側には、２次転写ローラ２２、シートＰを搬送する搬送ローラ２３Ａ、２４Ａが設けられている。
【００１６】
次に、像が転写されるシートＰの流れを説明する。給送カセット６０に積載されたシートＰは、給送ユニット５０の駆動によって給送される。給送されるシートＰには、搬送経路１１を通過する途中で、２次転写ローラ２２に印加された電圧によって中間転写ユニット４０上に作られた像が転写される。そして、シートＰに転写された像は、定着装置３０で定着されて、シートＰは排出トレイ１２に排出される。
【００１７】
図２は、扉ユニット２０が閉状態から開状態に移行する経過状態を示す画像形成装置１０の断面図である。なお、図２では、後述の連結部材７０及び扉規制部材７１は省略されている。図２に示されるように、扉ユニット２０が閉状態から開状態に移行する経過途中で、扉ユニット２０は、第１回動角度θ１に設定される。このように、閉状態の角度を基準とした第１回動角度θ１に扉ユニット２０が開かれた状態で保持されると、搬送経路１１を形成していた部位にユーザがアクセス可能となる第１空間Ａ１が形成される。図２を参照しつつ、シートＰが搬送経路１１の内部で詰まった場合に、ユーザがジャム処理するときのユーザの操作について以下に説明する。
【００１８】
ユーザは、シートＰをジャム処理する場合には、搬送経路１１に残ったシートＰを除去するために、扉回動軸２１を支点として扉ユニット２０を回動させて搬送経路１１を開放する。このときに、扉ユニット２０は、第１回動角度θ１で開放角度が規制される。扉ユニット２０が第１回動角度θ１で配置される場合には、ユーザは、搬送経路１１にアクセスするときに、装置本体１０Ａの正面からだけではなく、扉ユニット２０の側からでも搬送経路１１に容易に近づくことができる。また、第１回動角度θ１は、搬送経路１１の視認性が良い第１空間Ａ１を作る角度であれば良い。第１回動角度θ１は、扉ユニット２０が閉状態に対して５０度程度開けば良く、全開放する必要がないので、装置本体１０Ａの設置スペースが狭くて済む。実際に、扉ユニット２０が開いたときに必要な横幅は、９０度開いたときの６５％程度となり、３５％のスペース縮小になる。
【００１９】
扉ユニット２０は、第１回動角度θ１まで開いた状態では、中間転写ユニット４０、給送ユニット５０を引き出す引出軌跡上の位置に配置される。このように、扉ユニット２０が第１回動角度θ１まで開いた状態では、ユーザは中間転写ユニット４０、給送ユニット５０を取り出すことができない。
【００２０】
図３は、扉ユニット２０が閉状態から開状態に完全に移行した状態を示す画像形成装置１０の断面図である。なお、図３では、後述の連結部材７０及び扉規制部材７１は省略されている。図３に示されるように、扉ユニット２０が閉状態から開状態に完全に移行したときには、扉ユニット２０は、第２回動角度θ２に設定される。このように、閉状態の角度を基準として第１回動角度θ１よりも大きい第２回動角度θ２に扉ユニット２０が開かれた状態で保持されると、中間転写ユニット４０、給送ユニット５０をユーザが取り出し可能となる第２空間Ａ２が形成される。図３を参照しつつ、ユニット交換のメンテナンス性について以下に詳述する。
【００２１】
ユーザがユニットを交換する場合には、ユーザは、扉回動軸２１を支点として扉ユニット２０を第２回動角度θ２まで開く。第２回動角度θ２は、中間転写ユニット４０や給送ユニット５０の着脱のために、９０度程度開くのが良い。扉ユニット２０が第２回動角度θ２まで開かれると、中間転写ユニット４０や給送ユニット５０は、扉ユニット２０の開放方向へと着脱自在となる。
【００２２】
中間転写ユニット４０や給送ユニット５０は、ユニット寿命などの理由で交換が必要となることがある。特に、中間転写ユニット４０は、中間転写ユニット４０の構成部品である中間転写ベルト４０Ａにダメージを与えると画像に影響するため、交換には注意が必要である。しかし、最近ではサービスレスが求められており、専門知識をもたないユーザでも、ユニット交換できることが望ましい。
【００２３】
中間転写ユニット４０を装置本体１０Ａの上方側や手前側に着脱する方式があるが、これらの場合は中間転写ユニット４０を取り外すまでに複数の手順を必要とするので、交換が容易ではない。一方、ここでは、扉ユニット２０の開閉のみで中間転写ユニット４０にアクセスが可能となるため、ユニット交換の際にはユーザでもユニット交換しやすく、良好なメンテナンス性とサービスレスに繋がる。
【００２４】
扉ユニット２０は、第２回動角度θ２まで開いた状態では、中間転写ユニット４０、給送ユニット５０を引き出す引出軌跡上から外れた位置に配置されている。このように、扉ユニット２０が第２回動角度θ２また開いた状態では、ユーザは中間転写ユニット４０、給送ユニット５０を取り出すことができる。
【００２５】
図４（ａ）は、扉ユニット２０の回動角度が第１回動角度θ１まで回動した工程を示す拡大断面図である。図４（ａ）に示されるように、扉ユニット２０は、装置本体１０Ａに取り付けられた扉回動軸２１を中心に回動自在となっている。扉ユニット２０の裏面には連結軸２３が取り付けられており、連結軸２３には連結部材７０が揺動自在に取り付けられている。
【００２６】
また、この一方で、装置本体１０Ａの側板９０には孔９０ａが形成されており、孔９０ａに『回動角度保持手段』である扉規制部材７１が挿入されている。この扉規制部材７１は、孔９０ａを通じて装置本体１０Ａに対して出入り自在に構成されている。前述の連結部材７０は連結端部７０Ａを有し、扉規制部材７１は連結端部７１Ａを有し、これらの連結端部７０Ａ及び連結端部７１Ａは互いに連結軸７２で連結されている。したがって、前述の連結部材７０は、扉規制部材７１に対して連結軸７２を中心に揺動自在となっている。
【００２７】
また、装置本体１０Ａは、『フレーム』である側板９０を有する。さらに、扉規制部材７１は、扉ユニット２０が第１回動角度θ１の状態で側板９０に当接する『第１当接部』である外板金突起８９を有する。外板金突起８９が側板９０に引っ掛かる。そのために、扉ユニット２０は、装置本体１０Ａに対して第１回動角度θ１まで揺動した状態で規制されることになる。
【００２８】
図４（ｂ）は、扉ユニット２０の回動角度が第２回動角度θ２まで回動した工程を示す拡大断面図である。図４（ｂ）に示されるように、外板金突起８９が孔９０ａを通過すると、扉ユニット２０が第１回動角度θ１から更に回動される。そうすると、外板金突起８９が押し下げられて、扉規制部材７１は孔９０ａを通じて更に外側へと引き出される。扉規制部材７１は、扉ユニット２０が第２回動角度θ２の状態で側板９０に当接する『第２当接部』である内板金突起８８を有する。内板金突起８８が側板９０に引っ掛かる。そのために、扉ユニット２０は、装置本体１０Ａに対して第２回動角度θ２まで揺動した状態で規制されることになる。
【００２９】
図５（ａ）は、扉規制部材７１の構成を示す拡大側面図である。図５（ｂ）は、扉規制部材７１から外板金８０を取り外した状態を示す拡大側面図である。ここでは、まず、図５（ｂ）を参照しつつ説明してから、図５（ａ）を参照しつつ説明する。
【００３０】
図５（ｂ）に示されるように、扉規制部材７１は、板金規制部材８３、ボス８５、内板金８１、付勢部材８２を備える。板金規制部材８３にはボス８５が固定されている。また、内板金８１には、長穴状のスリット８６が形成されると共に、外板金突起８９が形成される。板金規制部材８３のボス８５は、内板金８１に形成されたスリット８６に係合している。このために、内板金８１は、長穴状のスリット８６の範囲でボス８５に対して左右方向に移動自在となっている。
【００３１】
さらに、付勢部材８２は、一端が板金規制部材８３に固定され、他端が内板金８１の延設部９１に固定されている。付勢部材８２は、矢印Ｅの方向に内板金８１を付勢している。そのために、内板金８１は、ボス８５を中心に矢印Ｆの方向に回動するように付勢されている。そして、外板金突起８９が壁部８３ａ、８３ａの間の孔に挿入される。そして、付勢部材８２が最大限に内板金８１を付勢した状態では、外板金突起８９が板金規制部材８３から突出した状態となるように設定されている。この外板金突起８９は、前述のように、扉ユニット２０を第１回動角度θ１まで回動した状態を保持するための突起である。
【００３２】
そして、ユーザが内板金８１の被押圧部８１ａを押圧する（図５（ａ）の矢印Ｂの方向に押圧する）。そうすると、内板金８１はボス８５を中心に下方に（矢印Ｆとは反対方向下方に）揺動するために、外板金突起８９も下がり、第１回動角度θ１での扉ユニット２０の保持が解除される。
【００３３】
図５（ａ）に示されるように、板金規制部材８３には内板金８１が介在した状態で外板金８０が固定されている。外板金８０は、一端に内板金突起８８が形成されている。この内板金突起８８は、前述のように、扉ユニット２０を第２回動角度θ２まで回動した状態を保持するための突起である。
【００３４】
こうした扉規制部材７１が扉ユニット２０の回動角度を第１回動角度θ１及び第２回動角度θ２に規制する動作に関して以下に説明する。ユーザが扉ユニット２０を開くと、連結部材７０が回動して扉規制部材７１が右方向に引かれ、外板金突起８９が側板９０に突き当たって扉ユニット２０の回動が規制される（（図４（ａ）、図５（ｂ）参照）。このときの扉ユニット２０の回動角度が第１回動角度θ１である。なお、外板金８０と内板金８１は金属同士で突き当たるため、強度上問題ない。
【００３５】
扉規制部材７１は、外板金突起８９及び側板９０の当接状態を解除する『解除手段』である被押圧部８１ａを有する。ユーザが被押圧部８１ａを押圧して動作させる。そうすると、内板金８１が下方に揺動して外板金突起８９が側板９０に突き当たる状態が解除される。扉ユニット２０の開放動作と共に扉規制部材７１は更に外側へと移動し、内板金突起８８が側板９０に突き当たって扉ユニット２０の回動が規制される（図４（ｂ）、図５（ａ）参照）。このときの扉ユニット２０の回動角度が第２回動角度θ２である。このように、被押圧部８１ａの押圧で、扉ユニット２０が第１回動角度θ１及び第２回動角度θ２の間で回動可能となる。
【００３６】
ユーザが扉ユニット２０を閉めると、扉規制部材７１が左に移動する。外板金突起８９は、扉ユニット２０とは反対側にテーパが形成されている。そのために、扉規制部材７１が左に移動すると、外板金突起８９が側板９０によって自然に押し下げられる。したがって、扉ユニット２０が閉じられる過程で、外板金突起８９は扉ユニット２０の回動角度を規制しない。その結果、ユーザが矢印Ｂの方向に被押圧部８１ａを押圧しなくても、扉ユニット２０が閉じられるようになっている。
【００３７】
図６（ａ）は、扉ユニット２０が第１回動角度θ１に設定される場合に、カップリング１０１が突出する状態を示す斜視図である。図６（ａ）に示される『連結手段』であるカップリング１０１は、中間転写ユニット４０の一部である２次転写対向ローラ２７の端部を連結する部材である。このカップリング１０１の突出によって、装置本体１０Ａに中間転写ユニット４０が連結される。
【００３８】
カップリング１０１は、離間カム１０２の回転によって、２次転写対向ローラ２７の軸方向に突出したり退避したりする構成になっている。また、離間カム１０２の回転部にはリンク１０３が固定されている。リンク１０３にはリンク１０４が移動自在に取り付けられ、リンク１０４にはリンク１０５が回転自在に取り付けられている。そして、このリンク１０５に前述の扉規制部材７１が接続され、扉規制部材７１に連結部材７０が回動自在に取り付けられている。
【００３９】
ここで、扉規制部材７１が扉ユニット２０を第１回動角度θ１に設定する場合を考える。この場合には、連結部材７０、扉規制部材７１、リンク１０５、リンク１０４、リンク１０３の位置によって、離間カム１０２が所定の角度（カップリング１０１を突出させる角度）以上には回転していないので、カップリング１０１が突出した状態となっている。したがって、２次転写対向ローラ２７はカップリング１０１によって連結され、カップリング１０１は中間転写ユニット４０に駆動力を伝達するようになっている。２次転写対向ローラ２７及びカップリング１０１が連結されているので、扉ユニット２０が第１回動角度θ１の場合には、ユーザは中間転写ユニット４０を取り外せない。
【００４０】
図６（ｂ）は、扉ユニット２０が第２回動角度θ２に設定される場合に、カップリング１０１が退避した状態を示す斜視図である。図６（ｂ）に示されるカップリング１０１の退避によって、装置本体１０Ａから中間転写ユニット４０が着脱自在な状態になる。
【００４１】
ここで、扉規制部材７１が扉ユニット２０を第２回動角度θ２に設定する場合を考える。この場合には、連結部材７０、扉規制部材７１、リンク１０５、１０４が外側へと引張られる。そうすると、リンク１０３が下方へと引張られ、離間カム１０２が図６（ｂ）中の時計回りに回転し、カップリング１０１が退避した状態となる。したがって、カップリング１０１の連結が解除されて中間転写ユニット４０が装置本体１０Ａから着脱自在となる。
【００４２】
次に、図２及び図３を参照しつつ、扉ユニット２０が第１回動角度θ１の状態では給送ユニット５０を取り外せず、扉ユニット２０が第２回動角度θ２の状態で初めて締結部５１を外して給送ユニット５０を取り外せる構成について説明する。
【００４３】
給送ユニット５０の下部は、締結部５１によって装置本体１０Ａに締結されている。扉ユニット２０が第１回動角度θ１の状態では、図２に示されるように扉ユニット２０が５０度程度しか開かない。そのために、ユーザが給送ユニット５０の締結部５１の締結状態を解除できない。また、給送ユニット５０を取り外す軌跡上に扉ユニット２０が配置されている。そのために、ユーザは給送ユニット５０を取り外せない。
【００４４】
一方、扉ユニット２０が第２回動角度θ２の状態では、図３に示されるように扉ユニット２０が９０度程度に開かれる。そのために、ユーザは、給送ユニット５０の締結部５１の締結状態を解除して、給送ユニット５０にアクセス可能となる。また、給送ユニット５０を取り外す軌跡上に扉ユニット２０が配置されていない状態が確保される。そのために、ユーザは給送ユニット５０を取り外せる。
【００４５】
詳しくは、例えば、給送ユニット５０の搬送経路１１の側には、給送ユニット５０を装置本体１０Ａに取り付ける締結部５１が設けられ、この締結部５１にはビスが用いられる。扉ユニット２０が第１回動角度θ１に開いた状態では、水平方向で締結部５１及び扉ユニット２０の間が所定寸法未満に設定されてドライバー等が挿入不可であるために、締結部５１による締結が解除不可となる。扉ユニット２０が第２回動角度θ２に開いた状態では、水平方向で締結部５１及び扉ユニット２０の間が所定寸法（例えば、ドライバーが挿入可能な寸法）に設定されてドライバー等が挿入可能のために、締結部５１による締結が解除可能となる。
【００４６】
こうして、扉ユニット２０の回動角度が２段階に設定され、第１回動角度θ１ではジャム処理し易い空間を確保するように扉ユニット２０が開放される。その結果、装置本体１０Ａの設置スペースの縮小化が実現されると共に、メンテナンス性が維持される。また、第１回動角度θ１ではユニットの取り外しができない。その結果、ユーザが不用意にユニットに触れたり外したりする可能性が低減される。ユニット交換を行う際は、第２回動角度θ２に切り替えることで扉ユニット２０の回動角度を広く取り、ユーザの作業性が良くなる。その結果、装置本体１０Ａの設置スペースの縮小化が実現されると共に、メンテナンス性が維持される。
【００４７】
以上のことから、実施例の構成によれば、ユーザは、ジャム処理の場合には、扉ユニット２０を第１回動角度θ１に設定すると、搬送経路１１を形成していた部位にアクセスすることができる。また、ユーザは、中間転写ユニット４０、給送ユニット５０の交換の場合には、扉ユニット２０を第２回動角度θ２に設定すると、中間転写ユニット４０、給送ユニット５０を交換することができる。その結果、ユーザは、扉ユニット２０を大きく開かずにジャム処理することができると共に、中間転写ユニット４０、給送ユニット５０を交換するときだけ扉ユニット２０を大きく開けば済む。
【符号の説明】
【００４８】
１０      画像形成装置
１０Ａ    装置本体
１１      搬送経路
２０      扉ユニット（扉）
４０      中間転写ユニット
５０      給送ユニット
７１      扉規制部材（回動角度保持手段）
θ１      第１回動角度
θ２      第２回動角度
Ａ１      第１空間
Ａ２      第２空間
【図１】
2011252981.tif 000003
【図２】
2011252981.tif 000004
【図３】
2011252981.tif 000005
【図４】
2011252981.tif 000006
【図５】
2011252981.tif 000007
【図６】
2011252981.tif 000008